(57)【要約】【課題】長さの調整が可能で、しかも見栄えに優れた面格子固定ブラケットを用いて面格子を建物の開口枠に取り付ける面格子固定構造を得る。【解決手段】格子縦枠２４とサッシ枠２０の間に配設される面格子固定ブラケット４４は、矢印ＩＮ方向と直交する任意の断面が略同一となっている。ブラケット本体４６には矢印ＩＮ方向に沿ってネジガイド４８が形成されており、貫通固定ネジ３２を外部に露出させないようにして案内する。施工現場では、サッシ枠２０から面格子１４までの間隔に対応して、面格子固定ブラケット４４を切断して所望の長さにできる。【選択図】図３
2011241680.tif 000002
【特許請求の範囲】
【請求項１】
建物開口の開口枠と、この開口枠に取付部材によって取り付けられる面格子との間に配置されて開口枠と面格子とを接続するために用いられ、前記開口枠の前記面格子が取り付けられる面格子取付面と平行な断面で均一の断面形状を有する面格子固定ブラケットと、
前記取付部材を前記面格子側から前記開口枠側へ案内する案内手段と、
一部が前記面格子固定ブラケットによって隠蔽され、前記面格子を前記開口枠に取り付けるための取付部材と、
前記案内手段による前記取付部材の案内方向に沿って前記面格子固定ブラケットの内部に備えられ、前記案内部材が形成された中間板と、
前記面格子に対し前記面格子固定ブラケットの反対側から接触配置されて面格子を補強する補強板と、
を有し、
前記取付部材が、前記面格子から前記面格子固定ブラケットを貫通して前記開口枠にねじ込まれる貫通固定ネジである面格子固定構造。
【請求項２】
前記中間板が、上下方向に間隔をあけて配置された上中間板及び下中間板を有する請求項１に記載の面格子固定構造。
【請求項３】
前記案内手段が、前記上中間板の上面及び前記下中間板の下面に設けられている請求項２に記載の面格子固定構造。
【請求項４】
前記案内手段が、前記面格子固定ブラケットの上板の下面及び下板の上面に設けられている請求項１〜請求項３のいずれか１項に記載の面格子固定構造。
【請求項５】
前記案内部材が、前記面格子取付面と平行な断面で略Ｃ字状に形成されている請求項１〜請求項４のいずれか１項に記載の発明の面格子固定構造。
【請求項６】
前記面格子固定ブラケットが、前記建物と前記開口枠の間に配置される防水部材に対応した位置に配置されていることを特徴とする請求項１〜請求項５のいずれか１項に記載の面格子固定構造。
【請求項７】
前記開口枠、前記面格子及び前記面格子固定ブラケットの少なくとも１つに取り付けられこれらのひずみを検出するひずみセンサーと、
前記ひずみセンサーで検出されたひずみに基づいて、ひずみの発生を報知する報知手段と、
を有することを特徴とする請求項１〜請求項６のいずれか１項に記載の面格子固定構造。
【発明の詳細な説明】
【技術分野】
【０００１】
本発明は、面格子固定構造に関する。
【背景技術】
【０００２】
建物開口の開口枠（たとえば窓枠あるいはサッシ枠）には、面格子が取り付けられることがある。たとえば、特許文献１には、面格子の背面に取り付け装置を固定し、この取り付け装置をサッシに取り付けることにより、窓の外側に面格子を配置した構造が記載されている。特許文献１の取り付け装置は、２つの取付金具とその間の中間金具とで構成されており、その長さを調整した上で締結具により締結することで、サッシと面格子の間隔の調整ができる。
【０００３】
しかし、引用文献１の取り付け装置では、締結具が外部に露出するため、見栄えが悪い。見栄えを向上させるためには、２つの取付金具とその間の中間金具とを溶接等により、あるいはあらかじめ工場内等で完全に一体化する（締結具を不要とする）ことも考えられるが、このように一体化すると長さの調整ができなくなる。
【先行技術文献】
【特許文献】
【０００４】
【特許文献１】特開２００３−２０８８０号公報
【発明の概要】
【発明が解決しようとする課題】
【０００５】
本発明は上記事実を考慮し、長さの調整が可能で、しかも見栄えに優れた面格子固定ブラケットを用いて面格子を建物の開口枠に取り付ける面格子固定構造を得ることを課題とする。
【課題を解決するための手段】
【０００６】
請求項１に記載の発明では、建物開口の開口枠と、この開口枠に取付部材によって取り付けられる面格子との間に配置されて開口枠と面格子とを接続するために用いられ、前記開口枠の前記面格子が取り付けられる面格子取付面と平行な断面で均一の断面形状を有する面格子固定ブラケットと、前記取付部材を前記面格子側から前記開口枠側へ案内する案内手段と、一部が前記面格子固定ブラケットによって隠蔽され、前記面格子を前記開口枠に取り付けるための取付部材と、前記案内手段による前記取付部材の案内方向に沿って前記面格子固定ブラケットの内部に備えられ、前記案内部材が形成された中間板と、前記面格子に対し前記面格子固定ブラケットの反対側から接触配置されて面格子を補強する補強板と、を有し、前記取付部材が、前記面格子から前記面格子固定ブラケットを貫通して前記開口枠にねじ込まれる貫通固定ネジである。
【０００７】
この面格子固定構造の面格子固定ブラケットは、面格子取付面と平行な断面で均一の断面形状を有している。すなわち、どの断面を考えても、均一な断面形状が現れる。したがって、面格子固定ブラケットを適切な位置で切断して所望の長さに調整することで、開口枠に対する面格子の位置（離間量）を調整できる。
【０００８】
また、この面格子固定ブラケットを用いると、建物の開口枠に面格子をとりつけるための取付部材の一部が隠蔽される。したがって、取付部材が遮蔽されない構造と比較して、見栄えの向上を図ることができる。
【０００９】
面格子固定ブラケットは、取付部材の全体を隠蔽することが好ましいが、一部のみ隠蔽していても、隠蔽した部分については外部から取付部材が見えないので、見栄えの向上を図ることができる。
【００１０】
なお、ここでいう「均一の断面形状」とは、厳密に同一の断面形状であるものが含まれるのはもちろんであるが、開口枠と面格子との間に配設されることが可能で、且つ、取付部材を遮蔽可能であれば、厳密に同一の断面でなくてもよい。たとえば、補強用の部材（リブやビード）が部分的に突設されていたりしてもよい。
【００１１】
また、請求項１に記載の発明では、前記取付部材を前記面格子側から前記開口枠側へ案内する案内手段を有している。
【００１２】
したがって、取付部材を案内手段により面格子側から開口枠側へ案内することで取付部材を位置決めできるので、取付部材による面格子の取付作業の作業負担を軽減させることが可能になる。
【００１３】
また、請求項１に記載の発明では、一部が前記面格子固定ブラケットによって隠蔽され、前記面格子を前記開口枠に取り付けるための取付部材と、を有している。
【００１４】
さらに、請求項１に記載の発明では、前記案内手段による前記取付部材の案内方向に沿って前記面格子固定ブラケットの内部に備えられ、前記案内部材が形成された中間板、を有している。
【００１５】
このように、面格子固定ブラケットの内部に中間板が形成され、さらにこの中間板に案内手段が設けられるので、取付部材を、案内手段すなわち中間板に沿って、外部への露出部分の少なくとも一部を覆って案内できる。また、取付部材を案内部材に沿ってスムーズに案内することが可能である。
【００１６】
特に、請求項１に記載の発明では、前記取付部材が、前記面格子から前記面格子固定ブラケットを貫通して前記開口枠にねじ込まれる貫通固定ネジである。
【００１７】
すなわち、取付部材として貫通固定ネジを用いることで、簡単な構造で確実に面格子を開口枠に取り付けることができる。特に、貫通固定ネジは面格子から面格子固定ブラケットを貫通して開口枠にねじ込まれているので、このように貫通することなく分割されたネジを使用した場合と比較して、部品点数が少なくなる。
【００１８】
また、請求項１に記載の発明では、前記面格子に対し前記面格子固定ブラケットの反対側から接触配置されて面格子を補強する補強板、を有する。
【００１９】
補強板によって、面格子と面格子固定ブラケットとの接触部分が補強されることになるので、たとえば面格子に外力が作用した場合でも、面格子の面格子固定ブラケットに対する位置ズレや離脱を抑制可能となる。
【００２０】
請求項６に記載の発明では、請求項１〜請求項５のいずれか１項に記載の発明において、前記面格子固定ブラケットが、前記建物と前記開口枠の間に配置される防水部材に対応した位置に配置されていることを特徴とする。
【００２１】
このように、防水部材に対応した位置に面格子固定ブラケットを配置することで、面格子には防水のための部材が不要になる。防水のための部材が必要な構成と比較して、部品点数が少なくなる。
【００２２】
請求項７に記載の発明では、請求項１〜請求項６のいずれか１項に記載の発明において、前記開口枠、前記面格子及び前記面格子固定ブラケットの少なくとも１つに取り付けられこれらのひずみを検出するひずみセンサーと、前記ひずみセンサーで検出されたひずみに基づいて、ひずみの発生を報知する報知手段と、を有することを特徴とする。
【００２３】
したがって、ひずみセンサーでひずみを検出すると、これが報知手段によって報知されるので、ひずみの発生を知ることができる。たとえば、面格子に外力が作用してひずみが発生した場合に、これを短時間で知ることが可能になる。
【発明の効果】
【００２４】
本発明は上記構成としたので、長さの調整が可能で、しかも見栄えに優れた面格子固定ブラケットを用いて面格子を建物の開口枠に取り付ける面格子固定構造が得られる。
【図面の簡単な説明】
【００２５】
【図１】本発明の第１実施形態の面格子固定ブラケットを用いて面格子を建物に固定した面格子固定構造を示す分解斜視図である。
【図２】本発明の第１実施形態の面格子固定構造面を格子取付ブラケットの位置で横方向に破断した状態で示す断面図である。
【図３】本発明の第１実施形態の面格子固定ブラケットを用いて面格子を建物に固定した面格子固定構造を部分的に拡大して示す分解斜視図である。
【図４】本発明の第１実施形態の面格子固定ブラケットを用いて面格子を建物に固定する工程を（Ａ）から（Ｅ）へと順に示す説明図である。
【図５】（Ａ）〜（Ｃ）はいずれも、本発明の第１実施形態の面格子固定ブラケットを図１から図４に示すものとは異なる長さに切断した場合の面格子固定ブラケットを示す側面図である。
【図６】本発明の第２実施形態の面格子固定ブラケットを用いて面格子を建物に固定した面格子固定構造を示す分解斜視図である。
【図７】本発明の第２実施形態の面格子固定構造における報知手段の制御の流れを示すフローチャートである。
【図８】本発明の第３実施形態の面格子固定ブラケットとタッピングネジを示す斜視図である。
【図９】本発明の第３実施形態の面格子固定ブラケット、固定ネジ及び補強材を示す斜視図である。
【発明を実施するための形態】
【００２６】
図１には、本発明の第１実施形態の面格子固定ブラケット４４及び面格子１４が示されている。また、図２には、この面格子１４を面格子固定ブラケット４４を介して建物１６に固定した面格子固定構造１２が示されている。さらに、図３には、面格子固定ブラケット４４の近傍が拡大して示されている。図面において、面格子１４の幅方向を矢印Ｗで、上方向を矢印ＵＰで、建物内側方向を矢印ＩＮでそれぞれ示す。
【００２７】
図２に示すように、建物１６の窓１８には、その窓枠となるサッシ枠２０が配設されている。サッシ枠２０の外側には、面格子固定ブラケット４４を介して、貫通固定ネジ３２により面格子１４が固定されている。サッシ枠２０の外側の面が、面格子１４が面格子固定ブラケット４４を介して取り付けられる面格子取付面となっている。
【００２８】
図１に示すように、面格子１４は、上下方向に延在する一対の格子縦枠２４と、これら格子縦枠２４の上部及び下部において横方向に延在する格子横枠２６と、を有する四角枠２２を有しており、四角枠２２内には、複数の横桟２８が格子縦枠２４に掛渡されて取り付けられている。そして、本実施形態では、１つの格子縦枠２４に対し上下に２つ、面格子１４の全体では４つの面格子固定ブラケット４４が用いられる構造としている。
【００２９】
格子縦枠２４には、所定位置に１又は複数（本実施形態では１つの面格子固定ブラケット４４に対し２つ）のネジ挿通孔３０（図２参照）が形成されている。貫通固定ネジ３２には、先端部分近傍に雄ネジ３２Ｍが形成されており、いわゆるテクスネジとなっている。したがって、貫通固定ネジ３２が、ネジ挿通孔３０及び面格子固定ブラケット４４に挿通（貫通）された状態で、雄ネジ３２Ｍがサッシ枠２０から建物１６の外壁フレーム３４にねじ込まれることにより、面格子１４がサッシ枠２０（建物１６）に固定される。
【００３０】
また、貫通固定ネジ３２は、高硬度鋼により構成されている。したがって、高硬度鋼ではない材料で構成されたネジと比較して硬度が高くなっており、切断や破損等に対する耐性が高くなっている。なお。ここでいう「高硬度」とは、具体的には、硬度ＨＲＣ（ロックウェルＣスケール）５６以上の硬さを持つものを指す。
【００３１】
図２に示すように、サッシ枠２０と、建物１６を構成する外壁フレーム３４の間には、止水材３６及び止水シート３８が差し挟まれるようにして配設されている。ネジ挿通孔３０は、貫通固定ネジ３２が止水材３６及び止水シート３８を貫通するように所定の位置に形成されており、貫通固定ネジ３２を位置決め（位置あわせ）している。
【００３２】
格子縦枠２４には、ネジ挿通孔３０の間の位置にもネジ挿通孔４０が形成されている。このネジ挿通孔４０は、後述するように、面格子１４に面格子固定ブラケット４４を仮止めするときの仮止めネジ４２が挿通される。仮止めネジ４２は、いわゆるタッピングネジとされており、外周に雄ネジ４２Ｍが形成されている。
【００３３】
格子縦枠２４とサッシ枠２０の間に配設される面格子固定ブラケット４４は、図３に示すように、四角筒状のブラケット本体４６を有しており、さらにこのブラケット本体４６内には、１又は複数枚の中間板４９（本実施形態では、上下方向の間隔をあけて上中間板４９Ｕ及び下中間板４９Ｌ）が形成されている。矢印ＩＮ方向と直交する方向の（面格子取付面と平行な）任意の断面を考えると、ブラケット本体４６及び中間板４９は略同一の断面を有している。すなわち、矢印ＩＮ方向のどの位置で面格子固定ブラケット４４を切断した場合であっても、略均一の断面形状が現れるようになっている。
【００３４】
上中間板４９Ｕの上面及び下中間板４９Ｌの下面には、矢印ＩＮ方向に沿ってネジガイド４８が形成されている。ネジガイド４８は、矢印ＩＮ方向に見て貫通固定ネジ３２の周囲を取り囲むように略「Ｃ」字状に形成されており、貫通固定ネジ３２が矢印ＩＮ方向、すなわち面格子１４側からサッシ枠２０側へと挿通されるときに、貫通固定ネジ３２を案内する。特に、ネジガイド４８はブラケット本体４６の内側に形成されており、貫通固定ネジ３２を外部に露出させないようにして案内する。
【００３５】
ブラケット本体４６の上板４６Ｕの下面、及び下板４６Ｌの上面には、タッピングホール５０が形成されている。タッピングホール５０は、仮止めネジ４２の雄ネジ４２Ｍの外径よりもわずかに小さい内径部分を有しており、仮止めネジ４２がねじ込まれることで、雄ネジ４２Ｍがタッピングホール５０の内面を切削しつつ螺合する。
【００３６】
図１及び図３に示すように、格子縦枠２４の外側には補強板５２が配設されている。補強板５２は、面格子固定ブラケット４４と対応した位置、すなわち、面格子固定ブラケット４４と補強板５２とで格子縦枠２４を部分的に挟み込む位置に配設されている。補強板５２には、ネジ挿通孔５４、５６が形成されており、それぞれ、貫通固定ネジ３２、仮止めネジ４２が挿通される。
【００３７】
図１に示すように、格子縦枠２４及び格子横枠２６のそれぞれには、外側から目板５８が取り付けられている。また、格子縦枠２４の上端及び下端にはキャップ６０が被せされて取り付けられている。
【００３８】
次に、本実施形態の面格子固定ブラケット４４を用いて面格子１４を建物（サッシ枠２０）に固定する方法、及び、本実施形態の面格子固定構造１２の作用を説明する。
【００３９】
面格子１４をサッシ枠２０に固定する場合、まず、図４（Ａ）に示すように、施工現場において、面格子固定ブラケット４４を所定の切断位置ＣＬで切断する。すなわち、建物や面格子１４の種類等に応じて、サッシ枠２０から面格子１４までの間隔は種々に設定されており、特に、窓ガラス（図示省略）を可動させて窓を開閉する構造では、面格子１４と窓ガラス（図示省略）との干渉を回避する必要もある。本実施形態では、ブラケット本体４６及び中間板４９は略同一の断面を有しており、矢印ＩＮ方向のどの位置で面格子固定ブラケット４４を切断しても、均一（略同一）の断面形状が現れる。このように、面格子固定ブラケット４４を切断して所望の長さとすることで、窓ガラス等との干渉を回避して面格子１４をサッシ枠２０に固定できるので、各種の長さのブラケットを工場等で製造したり、施工現場に運んだりする必要がなくなる。なお、図４（Ａ）に示す状態で、格子縦枠２４の上端及び下端には、キャップ６０が被せられて取り付けられている。
【００４０】
次に、図４（Ｂ）に示すように、面格子１４に、面格子固定ブラケット４４と補強板５２とを仮止めネジ４２で仮止めする。仮止めにより、面格子固定ブラケット４４及び補強板５２が面格子１４から不用意に脱落したり位置ズレしたりしなくなるので、以後の作業性が向上する。
【００４１】
次いで、図４（Ｃ）に示すように、面格子１４を貫通固定ネジ３２を用いてサッシ枠２０（図４では図示省略、図２参照）に固定する。貫通固定ネジ３２は、図３に示したネジ挿通孔３０に挿通され、さらにネジガイド４８によって矢印ＩＮ方向に案内される。したがって、ネジガイド４８がない構成（貫通固定ネジ３２が案内されない構成）と比較して、固定作業の作業性が向上すると共に、貫通固定ネジ３２の位置、特に、サッシ枠２０にねじ込まれる先端位置が正確に位置決めされる。
【００４２】
このとき、面格子固定ブラケット４４は所望の長さに切断されているので、図４（Ｄ）に示すように面格子固定ブラケット４４がサッシ枠２０と面格子１４の双方に接触するまで貫通固定ネジ３２をねじ込むことで、面格子１４が矢印ＩＮ方向の所定の位置で固定される。
【００４３】
また、図２に示すように、貫通固定ネジ３２の位置は、ネジ挿通孔３０によって、止水材３６及び止水シート３８に対応した位置に位置あわせされている。これにより、止水材３６及び止水シート３８による止水が可能となるので、面格子１４には、止水のための部材が不要となり、部品点数が少なくなり、低コストとなる。止水のための部材を配設したり取り付けたりする作業も不要で、作業効率が高くなる。
【００４４】
このように面格子１４をサッシ枠２０に固定した状態で、貫通固定ネジ３２は、面格子固定ブラケット４４によりその周囲（軸部）が覆われており、外部からは見えなくなっている。したがって、貫通固定ネジ３２の軸部が露出している構成と比較して、見栄えが向上している。
【００４５】
そして、図４（Ｅ）に示すように、目板５８を四角枠２２に取り付ける。目板５８により、貫通固定ネジ３２及び仮止めネジ４２の頭部、さらに補強板５２も覆われるので、これらが露出している構成と比較して、見栄えがさらに向上している。
【００４６】
また、格子縦枠２４の上端及び下端にキャップ６０が被せられて取り付けられているので、格子縦枠２４内への異物の進入が抑制されると共に、より見栄えも向上される。
【００４７】
このようにして面格子１４がサッシ枠２０に固定された状態では、ネジ挿通孔３０の外側、すなわち貫通固定ネジ３２が面格子１４に挿通された部分の外側が、補強板５２で補強されている。すなわち、面格子１４に、補強板５２を介して、面格子固定ブラケット４４が取り付けられていることになる。したがって、面格子１４に外力（たとえば、矢印ＩＮと反対方向への引抜力）が作用した場合でも、貫通固定ネジ３２がネジ挿通孔３０から不用意に抜け出ることを抑制できる。たとえば、バール等による面格子１４のこじ開けや、金鋸、金鋏等による格子縦枠２４の切断に対して、これらを抑止できる可能性が高くなる。
【００４８】
しかも、貫通固定ネジ３２は高硬度鋼で構成されている。したがって、面格子１４をより強固に固定することができる。さらに、貫通固定ネジ３２の切断や破壊等に対しても、高硬度鋼以外の材料で構成されたものと比較して抑止できる可能性が高くなる。
【００４９】
なお、上記したように、本実施形態では、面格子固定ブラケット４４を所望の長さに切断して使用できる。したがって、窓ガラス等の構造によっては、たとえば図５（Ａ）に示すように、面格子固定ブラケット４４をさらに短くして、面格子１４を建物１６に対し接近した位置で固定することも可能である。あるいは、図５（Ｂ）に示すように、ルーバー窓等の外側へ開く障子を有する窓に面格子１４を取り付ける場合には、面格子固定ブラケット４４の切断位置を変更して長くするだけで、面格子１４を建物１６から離れた位置に固定できる。
【００５０】
また、図５（Ａ）及び図５（Ｂ）では、４つの面格子固定ブラケット４４が同じ長さに切断された例を挙げているが、面格子固定ブラケット４４の長さが異なっていてもよい。たとえば、図５（Ｃ）に示すように、窓ガラス６２が斜めに開放される構造の場合には、これに対応して面格子１４も斜めになるように、面格子固定ブラケット４４を異なる長さに、且つ斜めに切断してもよい。さらに、図示は省略するが、建物側の面格子固定ブラケット４４が接触する面に段差があるような場合でも、この段差に併せて面格子固定ブラケット４４を切断することで、段差への対応が可能である。
【００５１】
図５（Ａ）〜（Ｃ）のいずれの構成においても、貫通固定ネジ３２は、面格子固定ブラケット４４の長さに対応した長さのものが用いられる。そして、いずれの構成においても、面格子固定ブラケット４４と貫通固定ネジ３２の長さを変更するだけで対応でき、面格子固定ブラケット４４のそれぞれの長さのものを製造する必要がなくなる。
【００５２】
また、本発明では、面格子固定ブラケット４４を、サッシ枠２０や面格子１４と同一の材料で構成することも可能であり、サッシ枠２０や面格子１４と異なる材料が用いられていてもよい。
【００５３】
図６には、本発明の第２実施形態の面格子固定構造７２が示されている。第２実施形態では、第１実施形態の面格子固定構造１２の構成に加えて、ひずみゲージ７４及び報知手段７８等が追加されている。以下では、第２実施形態として追加された構成要素、部材等について説明し、第１実施形態と同一の構成要素、部材等については同一符号を付して、詳細な説明を省略する。
【００５４】
第２実施形態の面格子固定構造７２では、横桟２８、格子縦枠２４及び面格子固定ブラケット４４の所定位置に、ひずみゲージ７４が取り付けられている。これらのひずみゲージ７４は単独で、あるいは相互の位置関係から、面格子１４のひずみ量を検知することができる。
【００５５】
ひずみゲージ７４は、制御装置７６内のＣＰＵ７７に接続されており、得られたひずみ量のデータが送られるようになっている。さらに、ＣＰＵ７７には、報知手段７８としての警報スピーカー８０、警報ライト８２及び通信端末８４が接続されている。
【００５６】
制御装置７６には、メインスイッチ８６及びリセットスイッチ８８が備えられている。メインスイッチ８６は、通常はオン状態とされているが、オフ状態では、制御装置７６全体の動作を停止させる。これに対しリセットスイッチ８８は、通常はオン状態となっているが、オフにされると、報知手段７８の動作を停止させる。
【００５７】
このような構成とされた第２実施形態の面格子固定構造７２では、第１実施形態の面格子固定構造１２と同様の作用効果を奏するが、さらに、以下のフローに示すように、面格子１４に外力が作用してひずみが発生したときに、ＣＰＵ７７がこれを報知する等の所定の動作を行う。なお、通常は、上記したようにメインスイッチ８６及びリセットスイッチ８８はオン状態となっている。
【００５８】
このフローでは、まずステップＳ１２において、ひずみゲージ７４から送られたひずみ量データから、面格子１４の変位が外方向であるか否かを判断する。面格子１４の変位が外方向である場合には、ステップＳ１４において、面格子１４に作用した荷重が等分布荷重であるか否かを判断する。等分布荷重でない場合には、ステップＳ１６において、ひずみを検知している時間が、あらかじめ設定された所定時間であるか否かを判断する。なお、ステップＳ１２、Ｓ１４、Ｓ１６において、各判断が否定された場合には、ステップＳ２４に移行し、メインスイッチ８６がオフされたか否かを判断する。メインスイッチ８６がオフされていない場合にはステップＳ１２に戻るが、オフされている場合には処理を終了する。
【００５９】
したがって、ＣＰＵ７７は、面格子１４の変位が外方向であり、荷重分布が等荷重分布ではなく、ひずみ検知時間が所定時間を超えた場合に、ステップＳ１８において、報知手段７８を作動させる。具体的には、警報スピーカー８０から警報音を発生させると共に警報ライト８２を点灯又は点滅させる。さらに、通信端末８４により、所定の通信先へと通信を行う。もちろん、状況などに応じて、これらのうちのいずれかの処理を行うように、あらかじめ設定しておいてもよい。
【００６０】
次に、ステップＳ２０において、リセットスイッチ８８がオフされたか否かを判断する。リセットスイッチ８８がオフされていない場合にはステップＳ１８に戻って報知手段７８の作動を継続するが、リセットスイッチ８８がオフされた場合には、ステップＳ２２において報知手段７８の作動を停止させる。そして、ステップＳ２４に移る。
【００６１】
このように、第２実施形態の面格子固定構造７２では、面格子１４に発生したひずみをひずみゲージ７４で検出し、これを報知手段によって報知することで、ひずみの発生を短時間で知ることができる。
【００６２】
なお、本発明の面格子固定ブラケットとしては、上記各実施形態において説明したものに限定されず、以下の各実施形態に示すものでもよい。以下では、面格子固定ブラケットの形状のみが異なっているが、面格子固定構造の全体的構成は、第１実施形態あるいは第２実施形態と同一とされるので、詳細な説明を省略する。
【００６３】
図８には、第３実施形態の面格子固定ブラケット１０２が示されている。この面格子固定ブラケット１０２では、ブラケット本体４６内に、第１実施形態と同様に、上下の所定の間隔をあけた上中間板４９Ｕ及び下中間板４９Ｌの２枚の中間板が形成されている。
【００６４】
ブラケット本体４６の上板４６Ｕの下面及び、下板４６Ｌの上面には、第１実施形態のネジガイド４８に代えて、タッピングホール１０４が形成されている。また、第１実施形態の貫通固定ネジ３２に代えて、タッピングネジ１０８が格子縦枠２４のネジ挿通孔３０に挿通された後、タッピングホール１０４にねじ込まれる。このタッピングネジ１０８は、第１実施形態の貫通固定ネジ３２と異なり、サッシ枠２０には達しない長さとされている。
【００６５】
上中間板４９Ｕの上面及び下中間板４９Ｌの下面にも、タッピングホール１０６が形成されている。タッピングホール１０６は、面格子固定ブラケット１０２の長手方向中間部分から奥側（矢印ＩＮで示す方向）に向けて延在されており、タッピングネジ１１０を外側からねじ込むことができる。タッピングネジ１１０は、その先端をサッシ枠２０（図２参照）にねじ込むことが可能となるように、所定の長さに形成されている。
【００６６】
したがって、第３実施形態の面格子固定ブラケット１０２では、面格子１４をサッシ枠２０に固定するためのネジ（第１実施形態では貫通固定ネジ３２）が、タッピングネジ１０８、１１０に分割されていることになる。
【００６７】
第３実施形態の面格子固定ブラケット１０２を用いて面格子１４をサッシ枠２０に固定する場合には、まず、タッピングネジ１１０により、面格子固定ブラケットをサッシ枠２０に固定する。その後、タッピングネジ１０８により、面格子１４を面格子固定ブラケット１０２に固定する。このように、第３実施形態の面格子固定ブラケット１０２では、第１実施形態の面格子固定ブラケット４４とは異なる作業手順を採ることが可能となっている。
【００６８】
もちろん、第３実施形態においても、タッピングホール１０６が形成されている箇所では、矢印ＩＮ方向のどの位置で面格子固定ブラケット１０２を切断しても、略同一の断面形状が現れるので、各種の長さのブラケットを工場等で製造したり、施工現場に運んだりする必要がなくなる。
【００６９】
また、タッピングネジ１０８、１１０は面格子固定ブラケット１０２により覆われるので、これらが露出している構成と比較して、見栄えが向上している。
【００７０】
図９には、本発明の第４実施形態の面格子固定ブラケット１２２が示されている。第４実施形態の面格子固定ブラケット１２２では、ブラケット本体４６内に、第３実施形態の面格子固定ブラケット１０２と同様の上中間板４９Ｕ及び下中間板４９Ｌが形成されている。
【００７１】
ブラケット本体４６の上板４６Ｕの下面、及び下板４６Ｌの上面には、補強材ガイド１２４が形成されており、この補強材ガイド１２４内に、補強材１２６が収容されている。
【００７２】
補強材１２６は、第１実施形態の貫通固定ネジ３２と同様の高硬度鋼により円柱状（線状）に形成されている。そして、補強材ガイド１２４に収容された状態では、補強材１２６の長手方向（延在方向）が、面格子固定ブラケット１２２の長手方向と一致する。
【００７３】
このような構成とされた第４実施形態の面格子固定ブラケット１２２では、第１実施の形態面格子固定ブラケット４４と同様に、格子縦枠２４のネジ挿通孔３０（図３参照）に挿通された貫通固定ネジ３２が面格子固定ブラケット１２２内を貫通し、先端の雄ネジ３２Ｍがサッシ枠２０にねじ込まれる。
【００７４】
また、第４実施形態の面格子固定ブラケット１２２では、補強材１２６が面格子固定ブラケット１２２の長手方向に沿って配置されているので、面格子固定ブラケット１２２が全体として補強される。たとえば、面格子固定ブラケット１２２の切断や破壊等に対して、補強材１２６が用いられていない構成と比較して、抑止できる可能性が高くなる。
【００７５】
なお、第４実施形態において、貫通固定ネジ３２と補強材１２６の位置が互いに入れ替わっていてもよい。また、第４実施形態において、第１実施形態と同様に仮止めネジ４２により面格子１４に仮止めできるようにすることで、作業性を高めてもよい。
【００７６】
また、上記では、本発明の取付部材として、貫通固定ネジ３２、タッピングネジ１０８、１１０を挙げたが、面格子１４を建物の開口枠（サッシ枠２０）に取り付けることが可能であれば、取付部材はこれらに限定されない。たとえば、釘、リベット、及びアンカー等を用いてもよい。
【符号の説明】
【００７７】
１２ 面格子固定構造
１４ 面格子
１６ 建物
２０ サッシ枠（開口枠）
２４ 格子縦枠
３２ 貫通固定ネジ（取付部材）
３４ 外壁フレーム
３６ 止水材（防水部材）
３８ 止水シート（防水部材）
４２ 仮止めネジ
４４ 面格子固定ブラケット
４６ ブラケット本体
４８ ネジガイド（案内手段）
５０ タッピングホール
５２ 補強板
７２ 面格子固定構造
７４ ひずみゲージ
７６ 制御装置
８０ 警報スピーカー
８２ 警報ライト
８４ 通信端末
１０２ 面格子固定ブラケット
１０４、１０６ タッピングホール
１０８、１１０ タッピングネジ（取付部材）
１２２ 面格子固定ブラケット
１２４ 補強材ガイド
１２６ 補強材（補強部材）
【図１】
2011241680.tif 000003
【図２】
2011241680.tif 000004
【図３】
2011241680.tif 000005
【図４】
2011241680.tif 000006
【図５】
2011241680.tif 000007
【図６】
2011241680.tif 000008
【図７】
2011241680.tif 000009
【図８】
2011241680.tif 000010
【図９】
2011241680.tif 000011